(57)【要約】【課題】記録媒体に記録された画像データを容易に認識することができるようにインデックス画像を記録媒体の表面に形成する。【解決手段】  写真処理装置では、スキャナ装置によって取り込まれた複数の画像データに基づいて、プリントプロセッサにおいてプリント処理が行われると共に、ＣＤ−Ｒ書き込み装置において画像データがＣＤ−Ｒに書き込まれる。そして、モード（１）では、５つ以上のオーダーに係る画像データがＣＤ−Ｒに記録された場合には、各オーダー毎に最初の１つの画像データに対応するインデックス画像だけがＣＤ−Ｒのレーベル面に印刷される。【選択図】  図１０     
2005324507.tif 000002
【特許請求の範囲】
【請求項１】
複数の画像データを記憶する画像データ記憶手段と、
前記画像データ記憶手段に記憶された複数の画像データの中から選択された２以上の画像データを記録媒体に記録するデータ記録手段と、
前記画像データ記憶手段に記憶された複数の画像データのうち前記データ記録手段によって記録媒体に記録された２以上の画像データのなかから少なくとも１つの画像データを選択するための選択基準を複数記憶する選択基準記憶手段と、
前記選択基準記憶手段に記憶された複数の選択基準の中から１つの選択基準を抽出するための抽出手段と、
前記抽出手段により抽出された選択基準に基づいて前記画像データ記憶手段に記憶された複数の画像データのなかから少なくとも１つの画像データを選択する第１の画像データ選択手段と、
前記画像データ選択手段により選択された少なくとも１つの画像データに対応した全ての画像データを含むインデックス画像を記録媒体の表面に形成するインデックス画像形成手段とを備えていることを特徴とする画像記録装置。
【請求項２】
前記選択基準記憶手段は、複数の選択基準の１つとして、前記画像データ記憶手段が複数の画像群に係る画像データを記憶している場合に、前記画像群毎に所定数の画像データを選択するという内容の選択基準を記憶していることを特徴とする請求項１に記載の画像記録装置。
【請求項３】
前記選択基準記憶手段は、前記画像群毎に１つの画像データを選択するという内容の選択基準を記憶していることを特徴とする請求項２に記載の画像記録装置。
【請求項４】
各画像データに互いに異なる数字が割り当てられているときに、前記選択基準記憶手段は、各画像データに割り当てられた数字に基づいて、前記画像群毎に最も数値が小さい１つの画像データを選択するという内容の選択基準を記憶していることを特徴とする請求項３に記載の画像記録装置。
【請求項５】
前記選択基準記憶手段は、前記画像データ記憶手段が基準値以上の数の画像群を記憶している場合と、前記画像データ記憶手段が基準値より少ない数の画像群を記憶している場合とで異なる選択基準を記憶していることを特徴とする請求項１または２に記載の画像記録装置。
【請求項６】
前記画像データ記憶手段に記憶された複数の画像データのそれぞれの作成日を画像データ毎に記憶する作成日記憶手段をさらに備えており、
前記選択基準記憶手段は、複数の選択基準の１つとして、前記画像データ記憶手段が複数の作成日に係る画像データを記憶している場合に、前記複数の作成日毎に所定数の画像データを選択するという内容の選択基準を記憶していることを特徴とする請求項１に記載の画像記録装置。
【請求項７】
前記画像データ記憶手段に記憶された複数の画像データをそれぞれ編集可能な画像データ編集手段と、
前記画像データ編集手段により編集された複数の画像データのそれぞれの更新日を画像データ毎に記憶する更新日記憶手段とをさらに備えており、
前記選択基準記憶手段は、複数の選択基準の１つとして、前記画像データ記憶手段に記憶された複数の画像データのなかで、前記作成日記憶手段に記憶された作成日と前記更新日記憶手段に記憶された更新日とが異なる画像データを選択するという内容の選択基準を記憶していることを特徴とする請求項６に記載の画像記録装置。
【請求項８】
前記画像データ記憶手段に記憶された画像データに基づいて画像形成媒体に画像を形成する画像形成手段をさらに備えており、
前記選択基準記憶手段は、複数の選択基準の１つとして、前記画像形成手段によって形成された画像に対応する画像データを選択するという内容の選択基準を記憶していることを特徴とする請求項１に記載の画像記録装置。
【請求項９】
複数の画像データを記憶する画像データ記憶手段と、
前記画像データ記憶手段に記憶された複数の画像データの中から選択された２以上の画像データを記録媒体に記録するデータ記録手段と、
前記画像データ記憶手段に記憶された複数の画像データのうち前記データ記録手段によって記録媒体に記録された２以上の画像データのなかから少なくとも１つの画像データを選択するための選択基準を記憶する選択基準記憶手段と、
前記選択基準記憶手段に記憶された選択基準に基づいて前記画像データ記憶手段に記憶された複数の画像データのなかから少なくとも１つの画像データを選択する第１の画像データ選択手段と、
前記画像データ選択手段により選択された少なくとも１つの画像データに対応した全ての画像データを含むインデックス画像を記録媒体の表面に形成するインデックス画像形成手段とを備えており、
前記選択基準記憶手段は、前記画像データ記憶手段が複数の画像群に係る画像データを記憶している場合に、前記画像群毎に所定数の画像データを選択するという内容の選択基準を記憶していることを特徴とする画像記録装置。
【請求項１０】
前記選択基準記憶手段は、前記画像群毎に１つの画像データを選択するという内容の選択基準を記憶していることを特徴とする請求項９に記載の画像記録装置。
【請求項１１】
各画像データに互いに異なる数字が割り当てられているときに、前記選択基準記憶手段は、各画像データに割り当てられた数字に基づいて、前記画像群毎に最も数値が小さい１つの画像データを選択するという内容の選択基準を記憶していることを特徴とする請求項１０に記載の画像記録装置。
【請求項１２】
複数の画像データを記憶する画像データ記憶手段と、
前記画像データ記憶手段に記憶された複数の画像データの中から選択された２以上の画像データを記録媒体に記録するデータ記録手段と、
前記画像データ記憶手段に記憶された複数の画像データのうち前記データ記録手段によって記録媒体に記録された２以上の画像データのなかから少なくとも１つの画像データを選択するための選択基準を記憶する選択基準記憶手段と、
前記選択基準記憶手段に記憶された選択基準に基づいて前記画像データ記憶手段に記憶された複数の画像データのなかから少なくとも１つの画像データを選択する第１の画像データ選択手段と、
前記画像データ選択手段により選択された少なくとも１つの画像データに対応した全ての画像データを含むインデックス画像を記録媒体の表面に形成するインデックス画像形成手段とを備えており、
前記選択基準記憶手段は、前記画像データ記憶手段が基準値以上の数の画像群を記憶している場合と、前記画像データ記憶手段が基準値より少ない数の画像群を記憶している場合とで異なる選択基準を記憶していることを特徴とする画像記録装置。
【請求項１３】
複数の画像データを記憶する画像データ記憶手段と、
前記画像データ記憶手段に記憶された複数の画像データのそれぞれの作成日を画像データ毎に記憶する作成日記憶手段と、
前記画像データ記憶手段に記憶された複数の画像データの中から選択された２以上の画像データを記録媒体に記録するデータ記録手段と、
前記画像データ記憶手段に記憶された複数の画像データのうち前記データ記録手段によって記録媒体に記録された２以上の画像データのなかから少なくとも１つの画像データを選択するための選択基準を記憶する選択基準記憶手段と、
前記選択基準記憶手段に記憶された選択基準に基づいて前記画像データ記憶手段に記憶された複数の画像データのなかから少なくとも１つの画像データを選択する第１の画像データ選択手段と、
前記画像データ選択手段により選択された少なくとも１つの画像データに対応した全ての画像データを含むインデックス画像を記録媒体の表面に形成するインデックス画像形成手段とを備えており、
前記選択基準記憶手段は、前記画像データ記憶手段が複数の作成日に係る画像データを記憶している場合に、前記複数の作成日毎に所定数の画像データを選択するという内容の選択基準を記憶していることを特徴とする画像記録装置。
【請求項１４】
前記画像データ記憶手段に記憶された複数の画像データをそれぞれ編集可能な画像データ編集手段と、
前記画像データ編集手段により編集された複数の画像データのそれぞれの更新日を画像データ毎に記憶する更新日記憶手段とをさらに備えており、
前記選択基準記憶手段は、前記画像データ記憶手段に記憶された複数の画像データのなかで、前記作成日記憶手段に記憶された作成日と前記更新日記憶手段に記憶された更新日とが異なる画像データを選択するという内容の選択基準を記憶していることを特徴とする請求項１３に記載の画像記録装置。
【請求項１５】
複数の画像データを記憶する画像データ記憶手段と、
前記画像データ記憶手段に記憶された複数の画像データの中から選択された２以上の画像データを記録媒体に記録するデータ記録手段と、
前記画像データ記憶手段に記憶された画像データに基づいて画像形成媒体に画像を形成する画像形成手段と、
前記画像データ記憶手段に記憶された複数の画像データのうち前記データ記録手段によって記録媒体に記録された２以上の画像データのなかから少なくとも１つの画像データを選択するための選択基準を記憶する選択基準記憶手段と、
前記選択基準記憶手段に記憶された選択基準に基づいて前記画像データ記憶手段に記憶された複数の画像データのなかから少なくとも１つの画像データを選択する第１の画像データ選択手段と、
前記画像データ選択手段により選択された少なくとも１つの画像データに対応した全ての画像データを含むインデックス画像を記録媒体の表面に形成するインデックス画像形成手段とを備えており、
前記選択基準記憶手段は、前記画像形成手段によって形成された画像に対応する画像データを選択するという内容の選択基準を記憶していることを特徴とする画像記録装置。
【請求項１６】
前記第１の画像データ選択手段によって選択された画像データの数が所定数を超える場合に、前記第１の画像データ選択手段によって選択された画像データの中から前記所定数の画像データを選択する第２の画像データ選択手段をさらに備えていることを特徴とする請求項１〜１５のいずれか１項に記載の画像記録装置。
【請求項１７】
複数の画像データの中から選択された２以上の画像データを記録媒体に記録するデータ記録ステップと、
前記複数の画像データのうち前記データ記録ステップで記録媒体に記録された２以上の画像データのなかから少なくとも１つの画像データを選択するための選択基準を複数の選択基準の中から１つ抽出するための抽出ステップと、
前記抽出ステップで抽出された選択基準に基づいて前記複数の画像データのなかから少なくとも１つの画像データを選択する画像データ選択ステップと、
前記画像データ選択ステップで選択された少なくとも１つの画像データに対応した全ての画像データを含むインデックス画像を記録媒体の表面に形成するインデックス画像形成ステップとを備えていることを特徴とする画像記録方法。
【発明の詳細な説明】
【技術分野】
【０００１】
本発明は、複数の画像データを記録可能な記録媒体の表面にインデックス画像を形成する画像記録装置及び画像記録方法に関する。
【背景技術】
【０００２】
カメラで撮影されたネガフィルムは、顧客によって写真店に預けられて、写真店において現像処理が行われるのが一般的である。写真店では、現像後のネガフィルムに基づいて感光材料に対して露光処理を行い、さらに、露光後の感光材料に現像処理等を施すことによって、画像が形成された感光材料（写真プリント）が顧客に提供される。そして、顧客から預かったネガフィルムは写真プリントと共に返却される。その際には、ネガフィルムの画像に基づいて作成された画像データが記録されたＣＤ−Ｒ等の記録媒体と、それらの画像データに対応するインデックス画像が形成されたインデックスプリントとがあわせて提供される。
【０００３】
ここで、顧客が記録媒体に記録された画像データの内容を容易に認識することができるように、記録媒体の表面には画像データに対応するインデックス画像が印刷されることが多い（例えば、特許文献１参照）。
【特許文献１】特開１１−８６５０５号公報（図１）
【発明の開示】
【発明が解決しようとする課題】
【０００４】
しかしながら、大容量の記録媒体には多数の画像データが記録可能であるので、それら全ての画像データに対応するインデックス画像を記録媒体の表面に印刷することができない場合がある。このような場合には、記録媒体の表面には、多数の画像データのなかから選択された画像データに対応するインデックス画像しか印刷することができない。従って、顧客は、その選択されたインデックス画像に基づいて、記録媒体に記録されている画像データを認識する必要がある。
【０００５】
ここで、番号順に並べられた多数の画像データに対応するインデックス画像の全てを記録媒体の表面に印刷できないときには、番号の小さい画像データから所定数（例えば、５〜１０個）の画像データに対応するインデックス画像だけが記録媒体の表面に印刷される場合がある。このとき、多数の画像データが複数のオーダーに係るものを含んでいるとしても、所定数が複数のオーダーのうちの最初のオーダーに含まれる画像データの数よりも少ない場合には、記録媒体の表面に印刷されるのは最初のオーダーに係る画像データに対応するインデックス画像だけになってしまう。従って、顧客は、記録媒体の表面に印刷されたインデックス画像に基づいて、記録媒体に記録された画像データのうちの最初のオーダーに係る画像データは容易に認識することができるが、その他のオーダーに係る画像データや、記録媒体に記録されているオーダー数などを容易に認識することはできない。
【０００６】
そこで、本発明の目的は、記録媒体に記録された画像データを容易に認識することができるようなインデックス画像を記録媒体の表面に形成する画像記録装置及び画像記録方法を提供することである。
【課題を解決するための手段および発明の効果】
【０００７】
本発明の画像記録装置は、複数の画像データを記憶する画像データ記憶手段と、前記画像データ記憶手段に記憶された複数の画像データの中から選択された２以上の画像データを記録媒体に記録するデータ記録手段と、前記画像データ記憶手段に記憶された複数の画像データのうち前記データ記録手段によって記録媒体に記録された２以上の画像データのなかから少なくとも１つの画像データを選択するための選択基準を複数記憶する選択基準記憶手段と、前記選択基準記憶手段に記憶された複数の選択基準の中から１つの選択基準を抽出するための抽出手段と、前記抽出手段により抽出された選択基準に基づいて前記画像データ記憶手段に記憶された複数の画像データのなかから少なくとも１つの画像データを選択する第１の画像データ選択手段と、前記画像データ選択手段により選択された少なくとも１つの画像データに対応した全ての画像データを含むインデックス画像を記録媒体の表面に形成するインデックス画像形成手段とを備えている。
【０００８】
本発明の画像記録方法は、複数の画像データの中から選択された２以上の画像データを記録媒体に記録するデータ記録ステップと、前記複数の画像データのうち前記データ記録ステップで記録媒体に記録された２以上の画像データのなかから少なくとも１つの画像データを選択するための選択基準を複数の選択基準の中から１つ抽出するための抽出ステップと、前記抽出ステップで抽出された選択基準に基づいて前記複数の画像データのなかから少なくとも１つの画像データを選択する画像データ選択ステップと、前記画像データ選択ステップで選択された少なくとも１つの画像データに対応した全ての画像データを含むインデックス画像を記録媒体の表面に形成するインデックス画像形成ステップとを備えている。
【０００９】
この構成によると、所望の選択基準に基づいて選択された画像データに対応するインデックス画像だけが記録媒体の表面に形成される。従って、好ましい選択基準を抽出することによって、記録媒体に記録された画像データの内容を容易に認識することができるようになる。
【００１０】
本発明の画像記録装置において、前記選択基準記憶手段は、複数の選択基準の１つとして、前記画像データ記憶手段が複数の画像群に係る画像データを記憶している場合に、前記画像群毎に所定数の画像データを選択するという内容の選択基準を記憶していてもよい。
【００１１】
この構成によると、複数の画像群に係る画像データが記録媒体に記録される場合に、複数の画像群毎に所定数の画像データに対応するインデックス画像だけが記録媒体の表面に形成される。従って、記録媒体に記録された画像データが何個の画像群に係る画像データであるのかが分かると共に、記録媒体に記録された画像データの内容を容易に認識することができるようになる。
【００１２】
ここで、「画像群」とは、本発明の画像記録装置において、１つのまとまりとして取り扱われる複数の画像データの集まりを示すものである。例えば、１つのフィルムに記録された画像データが１つのまとまりとして取り扱われるときには、このフィルムに記録された画像データが画像群を構成し、複数のフィルムに記録された画像データが１つのまとまりとして取り扱われるときには、これらのフィルムに記録された画像データが画像群を構成する。なお、上述のように１または複数のフィルムに記録された画像データが画像群を構成する場合の他、オペレータが画像記録装置に対して各画像群に含まれる画像データを任意に設定することもできる。
【００１３】
本発明の画像記録装置において、前記選択基準記憶手段は、前記画像群毎に１つの画像データを選択するという内容の選択基準を記憶していてもよい。
【００１４】
本発明の画像記録装置において、各画像データに互いに異なる数字が割り当てられているときに、前記選択基準記憶手段は、各画像データに割り当てられた数字に基づいて、前記画像群毎に最も数値が小さい１つの画像データを選択するという内容の選択基準を記憶していてもよい。
【００１５】
この構成によると、複数の画像群に係る画像データが記録媒体に記録される場合に、複数の画像群毎に１つの画像データに対応するインデックス画像だけが記録媒体の表面に形成される。従って、多数の画像群に係る画像データが記録媒体に記録される場合でも、記録媒体に記録された画像データが何個の画像群に係る画像データであるかが分かると共に、記録媒体に記録された画像データの内容を容易に認識することができるようになる。
【００１６】
本発明の画像記録装置において、前記選択基準記憶手段は、前記画像データ記憶手段が基準値以上の数の画像群を記憶している場合と、前記画像データ記憶手段が基準値より少ない数の画像群を記憶している場合とで異なる選択基準を記憶していてもよい。
【００１７】
この構成によると、基準値以上の画像群に係る画像データが記録媒体に記録される場合と基準値より少ない画像群に係る画像データが記録媒体に記録される場合とで選択基準を変更することによって、記録媒体の表面に形成されるインデックス画像の数を変更することができる。従って、これらの場合に、例えばインデックス画像の数を変えることによって、記録媒体の表面のスペースを有効に利用することができる。
【００１８】
本発明の画像記録装置において、前記画像データ記憶手段に記憶された複数の画像データのそれぞれの作成日を画像データ毎に記憶する作成日記憶手段をさらに備えており、前記選択基準記憶手段は、複数の選択基準の１つとして、前記画像データ記憶手段が複数の作成日に係る画像データを記憶している場合に、前記複数の作成日毎に所定数の画像データを選択するという内容の選択基準を記憶していてもよい。
【００１９】
この構成によると、複数の作成日に係る画像データが記録媒体に記録される場合に、各作成日毎に所定数の画像データに対応するインデックス画像だけが記録媒体の表面に形成される。
【００２０】
本発明の画像記録装置において、前記画像データ記憶手段に記憶された複数の画像データをそれぞれ編集可能な画像データ編集手段と、前記画像データ編集手段により編集された複数の画像データのそれぞれの更新日を画像データ毎に記憶する更新日記憶手段とをさらに備えており、前記選択基準記憶手段は、複数の選択基準の１つとして、前記画像データ記憶手段に記憶された複数の画像データのなかで、前記作成日記憶手段に記憶された作成日と前記更新日記憶手段に記憶された更新日とが異なる画像データを選択するという内容の選択基準を記憶していてもよい。
【００２１】
この構成によると、編集された画像データと編集されていない画像データとが記録媒体に記録される場合に、編集されることによって作成日とは異なる日に更新された画像データに対応するインデックス画像だけが記録媒体の表面に形成される。
【００２２】
本発明の画像記録装置において、前記画像データ記憶手段に記憶された画像データに基づいて画像形成媒体に画像を形成する画像形成手段をさらに備えており、前記選択基準記憶手段は、複数の選択基準の１つとして、前記画像形成手段によって形成された画像に対応する画像データを選択するという内容の選択基準を記憶していてもよい。
【００２３】
この構成によると、画像形成媒体に画像が形成された画像データと画像が形成されていない画像データとが記録媒体に記録される場合に、画像が形成された画像データに対応するインデックス画像だけが記録媒体の表面に形成される。
【００２４】
本発明の画像記録装置において、複数の画像データを記憶する画像データ記憶手段と、前記画像データ記憶手段に記憶された複数の画像データの中から選択された２以上の画像データを記録媒体に記録するデータ記録手段と、前記画像データ記憶手段に記憶された複数の画像データのうち前記データ記録手段によって記録媒体に記録された２以上の画像データのなかから少なくとも１つの画像データを選択するための選択基準を記憶する選択基準記憶手段と、前記選択基準記憶手段に記憶された選択基準に基づいて前記画像データ記憶手段に記憶された複数の画像データのなかから少なくとも１つの画像データを選択する第１の画像データ選択手段と、前記画像データ選択手段により選択された少なくとも１つの画像データに対応した全ての画像データを含むインデックス画像を記録媒体の表面に形成するインデックス画像形成手段とを備えており、前記選択基準記憶手段は、前記画像データ記憶手段が複数の画像群に係る画像データを記憶している場合に、前記画像群毎に所定数の画像データを選択するという内容の選択基準を記憶していてもよい。
【００２５】
この構成によると、複数の画像群に係る画像データが記録媒体に記録される場合に、複数の画像群毎に所定数の画像データに対応するインデックス画像だけが記録媒体の表面に形成される。従って、記録媒体に記録された画像データが何個の画像群に係る画像データであるのかが分かると共に、記録媒体に記録された画像データの内容を容易に認識することができるようになる。
【００２６】
本発明の画像記録装置において、前記選択基準記憶手段は、前記画像群毎に１つの画像データを選択するという内容の選択基準を記憶していてもよい。
【００２７】
本発明の画像記録装置において、各画像データに互いに異なる数字が割り当てられているときに、前記選択基準記憶手段は、各画像データに割り当てられた数字に基づいて、前記画像群毎に最も数値が小さい１つの画像データを選択するという内容の選択基準を記憶していてもよい。
【００２８】
この構成によると、複数の画像群に係る画像データが記録媒体に記録される場合に、複数の画像群毎に１つの画像データに対応するインデックス画像だけが記録媒体の表面に形成される。従って、多数の画像群に係る画像データが記録媒体に記録される場合でも、記録媒体に記録された画像データが何個の画像群に係る画像データであるかが分かると共に、記録媒体に記録された画像データの内容を容易に認識することができるようになる。
【００２９】
本発明の画像記録装置において、複数の画像データを記憶する画像データ記憶手段と、前記画像データ記憶手段に記憶された複数の画像データの中から選択された２以上の画像データを記録媒体に記録するデータ記録手段と、前記画像データ記憶手段に記憶された複数の画像データのうち前記データ記録手段によって記録媒体に記録された２以上の画像データのなかから少なくとも１つの画像データを選択するための選択基準を記憶する選択基準記憶手段と、前記選択基準記憶手段に記憶された選択基準に基づいて前記画像データ記憶手段に記憶された複数の画像データのなかから少なくとも１つの画像データを選択する第１の画像データ選択手段と、前記画像データ選択手段により選択された少なくとも１つの画像データに対応した全ての画像データを含むインデックス画像を記録媒体の表面に形成するインデックス画像形成手段とを備えており、前記選択基準記憶手段は、前記画像データ記憶手段が基準値以上の数の画像群を記憶している場合と、前記画像データ記憶手段が基準値より少ない数の画像群を記憶している場合とで異なる選択基準を記憶していてもよい。
【００３０】
この構成によると、基準値以上の画像群に係る画像データが記録媒体に記録される場合と基準値より少ない画像群に係る画像データが記録媒体に記録される場合とで選択基準を変更することによって、記録媒体の表面に形成されるインデックス画像の数を変更することができる。従って、これらの場合に、例えばインデックス画像の数を変えることによって、記録媒体の表面のスペースを有効に利用することができる。
【００３１】
本発明の画像記録装置において、複数の画像データを記憶する画像データ記憶手段と、前記画像データ記憶手段に記憶された複数の画像データのそれぞれの作成日を画像データ毎に記憶する作成日記憶手段と、前記画像データ記憶手段に記憶された複数の画像データの中から選択された２以上の画像データを記録媒体に記録するデータ記録手段と、前記画像データ記憶手段に記憶された複数の画像データのうち前記データ記録手段によって記録媒体に記録された２以上の画像データのなかから少なくとも１つの画像データを選択するための選択基準を記憶する選択基準記憶手段と、前記選択基準記憶手段に記憶された選択基準に基づいて前記画像データ記憶手段に記憶された複数の画像データのなかから少なくとも１つの画像データを選択する第１の画像データ選択手段と、前記画像データ選択手段により選択された少なくとも１つの画像データに対応した全ての画像データを含むインデックス画像を記録媒体の表面に形成するインデックス画像形成手段とを備えており、前記選択基準記憶手段は、前記画像データ記憶手段が複数の作成日に係る画像データを記憶している場合に、前記複数の作成日毎に所定数の画像データを選択するという内容の選択基準を記憶していてもよい。
【００３２】
この構成によると、複数の作成日に係る画像データが記録媒体に記録される場合に、各作成日毎に所定数の画像データに対応するインデックス画像だけが記録媒体の表面に形成される。
【００３３】
本発明の画像記録装置において、前記画像データ記憶手段に記憶された複数の画像データをそれぞれ編集可能な画像データ編集手段と、前記画像データ編集手段により編集された複数の画像データのそれぞれの更新日を画像データ毎に記憶する更新日記憶手段とをさらに備えており、前記選択基準記憶手段は、前記画像データ記憶手段に記憶された複数の画像データのなかで、前記作成日記憶手段に記憶された作成日と前記更新日記憶手段に記憶された更新日とが異なる画像データを選択するという内容の選択基準を記憶していてもよい。
【００３４】
この構成によると、編集された画像データと編集されていない画像データとが記録媒体に記録される場合に、編集されることによって作成日とは異なる日に更新された画像データに対応するインデックス画像だけが記録媒体の表面に形成される。
【００３５】
本発明の画像記録装置において、複数の画像データを記憶する画像データ記憶手段と、前記画像データ記憶手段に記憶された複数の画像データの中から選択された２以上の画像データを記録媒体に記録するデータ記録手段と、前記画像データ記憶手段に記憶された画像データに基づいて画像形成媒体に画像を形成する画像形成手段と、前記画像データ記憶手段に記憶された複数の画像データのうち前記データ記録手段によって記録媒体に記録された２以上の画像データのなかから少なくとも１つの画像データを選択するための選択基準を記憶する選択基準記憶手段と、前記選択基準記憶手段に記憶された選択基準に基づいて前記画像データ記憶手段に記憶された複数の画像データのなかから少なくとも１つの画像データを選択する第１の画像データ選択手段と、前記画像データ選択手段により選択された少なくとも１つの画像データに対応した全ての画像データを含むインデックス画像を記録媒体の表面に形成するインデックス画像形成手段とを備えており、前記選択基準記憶手段は、前記画像形成手段によって形成された画像に対応する画像データを選択するという内容の選択基準を記憶していてもよい。
【００３６】
この構成によると、画像形成媒体に画像が形成された画像データと画像が形成されていない画像データとが記録媒体に記録される場合に、画像が形成された画像データに対応するインデックス画像だけが記録媒体の表面に形成される。
【００３７】
本発明の画像記録装置において、前記第１の画像データ選択手段によって選択された画像データの数が所定数を超える場合に、前記第１の画像データ選択手段によって選択された画像データの中から前記所定数の画像データを選択する第２の画像データ選択手段をさらに備えていてもよい。
【００３８】
この構成によると、記録媒体の表面に形成されるインデックス画像に対応する画像データとして、所定数を超える画像データが選択された場合に、その画像データの中から所定数の画像データを選択して、所定数の画像データに対応するインデックス画像だけを記録媒体の表面に形成することができる。従って、記録媒体の表面におけるインデックス画像を形成可能なスペースが限られていたとしても、所定数を適正に設定することによって、記録媒体の表面に対するインデックス画像の形成を行うことができる。
【００３９】
なお、記録媒体としては、例えばＣＤ−Ｒ、ＤＶＤ、フロッピー(登録商標）ディスクなど、画像データを記録可能なものであればどのようなものであってもよい。また、画像形成媒体としては、例えば写真処理装置（プリンタプロセッサ）において画像が形成される写真感光媒体（印画紙）、インクジェットプリンタにおいて画像が形成される用紙（ペーパー）など、画像を形成可能なものであればどのようなものであってもよい。
【発明を実施するための最良の形態】
【００４０】
以下、本発明の好適な実施の形態について、図面を参照しつつ説明する。図１は、本発明の実施の形態に係る写真処理装置の外観を示す斜視図であり、図２は、そのうちのＣＤ−Ｒ書き込み装置の構成を示す斜視図である。
【００４１】
＜写真処理装置の構成＞
図１に示す写真処理装置は、プリンタプロセッサ１と、ＣＤ−Ｒ書き込み装置２とを備えている。プリンタプロセッサ１には、プリント装置３とプロセッサ装置４とが設けられており、プリント装置側の上部には、モニタ５とスキャナ装置６とが設けられている。スキャナ装置６には、ネガキャリア７が着脱自在に構成されており、ネガキャリア７に挿入されたネガフィルムのコマ画像を読み取ることができる。モニタ５は、スキャナ装置６により読み取られたコマ画像を映し出すことができる。
【００４２】
モニタ５やスキャナ装置６の手前側には、操作テーブル８が設けられている。操作テーブル８には、各種のデータの入力やプリンタプロセッサ１に対する指示入力を行うためのキーボード９やマウス１０が設けられている。操作テーブル８の下方には、各種の記録媒体からの画像データの入力を行うためのドライブ装置１１が設けられている。従って、ドライブ装置１１は、例えばフロッピー（登録商標）ディスク、ＭＯディスク及びデジタルカメラ用記録媒体からの画像データの入力を可能にしている。
【００４３】
プロセッサ装置４は、公知の現像処理部と乾燥処理部とを備えている。所定の処理が施されたペーパーは、プリント排出部１２から仕上がり写真プリントＰとして装置外部に排出される。プリント排出部１２から排出された写真プリントＰは、横送りコンベア１３によりソータ１４に向けて移送される。ソータ１４は、多数のトレイ１４ａが循環駆動されるように構成されており、トレイ１４ａの搭載面の上に、横送りコンベア１３により送り込まれた写真プリントＰが搭載される。
【００４４】
図１において、プリンタプロセッサ１とＣＤ−Ｒ書き込み装置２とは別体の装置であり、両者を通信ケーブル（図示しない）により接続している。従って、プリンタプロセッサ１とＣＤ−Ｒ書き込み装置２とは連動させて作動させることができる。なお、上記のような別体装置ではなく、ＣＤ−Ｒ書き込み装置２の機能をプリンタプロセッサ１の中に組み込み、一体化した装置により写真処理装置を構成しても良い。
【００４５】
＜ＣＤ−Ｒ書き込み装置の構成＞
次に、ＣＤ−Ｒ書き込み装置２の詳細な構成を図２を参照して説明する。この装置は、記録媒体であるＣＤ−Ｒに画像データの書き込みを行うための装置である。この装置は、ＣＤ−Ｒ移送装置２０と、印刷部２１と、書き込み部２２と、集積部２３とを備えている。
【００４６】
ＣＤ−Ｒ移送装置２０は、ＣＤ−Ｒをつかんで移送するＣＤ−Ｒピッカー２４と、ＣＤ−Ｒピッカー２４を上下方向にガイドするガイド部２５とを備えている。ＣＤ−Ｒピッカー２４は、ＣＤ−Ｒの中央の孔を利用してＣＤ−Ｒをつかむための爪部材（図示しない）を有している。この爪部材を駆動することにより、ＣＤ−Ｒをつかんだり、つかんでいるＣＤ−Ｒを離したりすることができる。爪部材は、例えば円周方向に沿って等間隔に配置された３箇所の爪レバーにより構成し、各爪レバーを半径方向に沿って移動可能に構成すればよい。
【００４７】
さらに、ＣＤ−Ｒピッカー２４は、図２に示すように１８０゜回転することができる。これにより、処理済みのＣＤ−Ｒをつかんで、指定されたトレイの上に搭載することができる。
【００４８】
集積部２３は、矢印方向に移動可能なトレイ２６が設けられており、データが何も書き込まれていない生のＣＤ−Ｒが多数集積されている。書き込み部２２にも、矢印方向に移動可能なトレイ２７が設けられており、ＣＤ−Ｒへの画像データの書き込みが行われる。なお、画像データの書き込みは所定のファイル形式で行われる。ファイル形式には、例えばＪＰＥＧ、ビットマップ、ＧＩＦＦがあるが、特定のファイル形式に限定されるものではない。
【００４９】
印刷部２１にも、矢印方向に移動可能なトレイ２８が設けられており、書き込み処理の終了したＣＤ−Ｒのレーベル面にインデックス画像の印刷を行う。インデックス画像とは、書き込みが行われた画像データに対応するサムネイル画像のことである。このインデックス画像を見ることにより、どのような画像データが書き込まれているかを直ちに認識することができる。
【００５０】
＜プリンタプロセッサの内部構成＞
次に、プリンタプロセッサ１の内部の概略構成について、図３を参照して説明する。図３は、プリンタプロセッサの内部構成を模式的に示す図である。プリント装置３は、写真感光材料であるペーパーがロール状に収容されたペーパーマガジン３０が着脱自在に取り付けられる。ペーパーマガジン３０から引き出された長尺状のペーパーは、ペーパーカッタ３１によりプリントサイズ（仕上がり写真プリントのサイズ）に切断される。
【００５１】
ペーパーカッタ３１の下流側には、露光エンジン３２が配置されている。露光エンジン３２は、デジタル式の露光装置であり、スキャナ装置６により読み取られた画像データに基づいてペーパーに画像を焼付露光する。露光エンジン３２としては、適宜の方式のものを採用することができ、例えばレーザーエンジン、ＣＲＴエンジン、ＰＬＺＴエンジン等を採用することができる。
【００５２】
プロセッサ装置４は、現像処理部３４と乾燥処理部３５とを備えている。露光エンジン３２により画像が焼付露光されたペーパーは、このプロセッサ装置４で公知の処理が施される。乾燥処理部３５を通過したペーパーは、既に述べたように、プリント排出部１２から排出される。
【００５３】
スキャナ装置６は、ネガキャリア７に装填されているネガフィルムに記録されたコマ画像を読み取る。そのために、読み取り用の光源３６と、ＣＣＤセンサ３７とが設けられている。ＣＣＤセンサ３７は、ラインセンサ、エリアセンサのいずれでも良い。なお、スキャナ装置６の構成としても、その他の種々の構成例を採用することができる。
【００５４】
＜ブロック構成図＞
次に、写真処理装置の制御ブロックの構成について、図４を参照して説明する。図４は、写真処理装置の主要な制御ブロックを示す図である。
【００５５】
制御装置４０は、写真処理装置の各部の動作の制御を行う。制御装置４０は、ＣＰＵ、メモリ、ハードディスク、インターフェイス等のハードウェアと、制御プログラム等のソフトウェアにより構成される。制御装置４０は、モード記憶部４１と、モード抽出部４２と、画像データ記憶部４３と、画像データ編集部４４と、画像情報記憶部４５と、プリント画像設定部４６と、第１画像データ選択部４７と、第２画像データ選択部４８と、インデックス画像作成部４９とを有している。また、制御装置４０には、スキャナ装置６、露光エンジン３２、ＣＤ−Ｒ書き込み装置２、モニタ５、キーボード９及びマウス１０がそれぞれ接続されている。
【００５６】
モード記憶部４１は、各モードにおいて、ＣＤ−Ｒに記録された２以上の画像データのなかから、ＣＤ−Ｒのレーベル面（表面）に印刷されるインデックス画像に対応する画像データを選択するための選択基準を記憶する。ここで、本実施の形態の写真処理装置においては、モード記憶部４１は、モード（１）、モード（２）、モード（３）及びモード（４）の４つのモードを記憶している。
【００５７】
ここで、４つのモード（１）〜（４）における画像データの選択基準について説明する。まず、モード（１）では、スキャナ装置６により複数のオーダーに係る画像データが取り込まれた場合に、各オーダー毎に１または２の画像データが選択されるという内容の選択基準に基づいて、画像データが選択される。
【００５８】
モード（１）では、画像データ記憶部４３に記憶された複数の画像データが、５つ以上のオーダーに係る画像データを含んでいる場合と、４つ以下のオーダーに係る画像データだけを含んでいる場合とで異なる選択基準を記憶している。つまり、画像データ記憶部４３に記憶された複数の画像データが５つ以上のオーダーに係る画像データを含んでいる場合には、各オーダー毎に最初の１つの画像データ（ファイル番号が最も小さい画像データ）が選択される。一方、画像データ記憶部４３に記憶された複数の画像データが４つ以下のオーダーに係る画像データだけを含んでいる場合には、各オーダー毎に最初の２つの画像データ（ファイル番号が最も小さい画像データ及び２番目に小さい画像データ）が選択される。
【００５９】
モード（２）では、画像データ記憶部４３に記憶された複数の画像データのなかから、プリンタプロセッサ１においてプリント処理が行われた画像に対応する画像データが選択されるという内容の選択基準に基づいて、画像データが選択される。つまり、オペレータによって、プリント画像設定部４６に設定された画像に対応する画像データが選択される。
【００６０】
モード（３）では、画像データ記憶部４３に記憶された複数の画像データのなかから、各作成日毎に最初の１つの画像データ（ファイル番号が最も小さい画像データ）が選択されるという内容の選択基準に基づいて、画像データが選択される。つまり、同じ日に作成された複数の画像データがスキャナ装置６により取り込まれた場合には、それらの画像データのなかで最も先に取り込まれた画像データが、その作成日を代表する画像データとして選択される。
【００６１】
モード（４）では、画像データ記憶部４３に記憶された複数の画像データのなかから、編集された画像データすなわち作成日と更新日とが異なる画像データが選択されるという内容の選択基準に基づいて、画像データが選択される。
【００６２】
モード抽出部４２は、モード記憶部４１に記憶された４つのモード（１）〜（４）のなかの１つを抽出する。ここで、本実施の形態では、モード抽出部４２は、オペレータ（顧客を含む）によってキーボード９またはマウス１０が操作されることによって入力される命令にしたがって１つのモードを抽出するようになっている。従って、オペレータは、モード（１）〜（４）のいずれかを抽出することによって、ＣＤ−Ｒのレーベル面に印刷されるインデックス画像に対応する画像データを互いに異なる選択基準に基づいて選択することができる。
【００６３】
画像データ記憶部４３は、スキャナ装置６から取り込まれた複数の画像データを記憶する。ここで、画像データ記憶部４３では、複数のオーダーに係る画像データが取り込まれた場合には、それらをオーダー毎に区別して記憶することができる。なお、画像データ記憶部４３では、スキャナ装置６から取り込まれた複数の画像データには、互いに異なる数字のファイル番号が割り当てられる。このファイル番号は、スキャナ装置６から取り込まれる順序にしたがって大きくなる。
【００６４】
画像データ編集部４４は、オペレータによりキーボード９及びマウス１０が操作されることによって、画像データ記憶部４３に記憶された画像データに対する編集を行う。
【００６５】
画像情報記憶部４５は、画像データ記憶部４３に記憶された画像データに関する情報を画像データ毎に記憶する。ここで、画像情報記憶部４５は、作成日記憶部４５ａと更新日記憶部４５ｂとを有しており、画像データの作成日（例えばカメラによって得られた画像データの場合は、その画像データの撮影日）、画像データに対する編集が行われた場合は、その画像データの更新日をそれぞれ記憶している。
【００６６】
なお、更新日記憶部４５ｂには、画像データ編集部４４によって編集が行われた画像データでは、編集が行われた日が更新日として記憶されており、画像データ編集部４４によって編集が行われていない画像データでは、作成日がそのまま更新日として記憶されている。
【００６７】
なお、画像データがデジタルカメラで撮影されて記録媒体に記録されたものである場合には、画像データの作成日及び更新日の情報としては、ＤＰＯＦ(Digital Print Order Format)情報またはＥｘｉｆ(Exchangeableimagefile Format)情報に含まれる日付情報や、ファイル作成日時が利用される。また、画像データがネガフィルムに記録されたものである場合には、画像データの作成日の情報としては、ネガフィルムの磁気情報のなかの撮影日付が利用される。
【００６８】
プリント画像設定部４６は、画像データ記憶部４３に記憶された画像データのなかでプリント処理が行われる画像データの設定を記憶する。従って、プリント画像設定部４６には、プリントプロセッサ１におけるプリント処理が行われる前に、オペレータによってプリント画像の設定がキーボード９またはマウス１０が操作されることによって行われる。
【００６９】
第１画像データ選択部４７は、モード抽出部４２により抽出されたモードにおける選択基準に基づいて、画像データ記憶部４３に記憶された複数の画像データのなかからＣＤ−Ｒのレーベル面に印刷されるインデックス画像に対応する画像データを選択する。
【００７０】
第２画像データ選択部４８は、第１画像データ選択部４７によって選択された画像データの数が、ＣＤ−Ｒのレーベル面に印刷可能なインデックス画像の数である４０個を超える場合に、４０個を超える画像データのなかから４０個の画像データを選択する。ここで、本実施の形態では、第２画像データ選択部４８は、ファイル番号の小さい画像データから４０個の画像データが選択される。
【００７１】
インデックス画像作成部４９は、画像データ記憶部４３に記憶された画像データに基づいて、第１画像データ選択部４７により選択された画像データ（さらに、第２画像データ選択部４８による画像データの選択が行われる場合は、第２画像データ選択部４８により選択された画像データ）に対応するインデックス画像を作成する。
【００７２】
＜動作説明＞
次に、写真処理装置においてプリント処理が行われる場合の手順について、図５〜図９を参照して説明する。図５は、写真処理装置におけるプリント処理の手順を示すフローチャートである。図６〜図９は、各モードにおいて選択される画像データを説明する図である。なお、図６〜図９では、各モードにおいて選択される画像データを斜線で示している。
【００７３】
まず、オペレータのキーボード９またはマウス１０の操作入力にしたがって、モード抽出部４２により１つのモードが抽出される（ステップＳ１０１）。ここで、上述したように、オペレータは４つのモード（１）〜（４）のなかからいずれか１つのモードを選択する。そして、スキャナ装置６によって、画像データの取り込みが行われる（ステップＳ１０２）。すると、スキャナ装置６から取り込まれた画像データが画像データ記憶部４３に記憶されると共に、その画像データに関する画像情報は画像情報記憶部４５に記憶される（ステップＳ１０３）。
【００７４】
その後、オペレータによって、プリンタプロセッサ１におけるプリント処理が行われる画像データが選択されると、それらのファイル番号等がプリント画像設定部４６に設定される（ステップＳ１０４）。すると、画像データ記憶部４３に記憶された画像データのなかで、プリント画像設定部４６に設定されたファイル番号等に対応する画像データに対するプリント処理が行われる（ステップＳ１０５）。そして、画像データ記憶部４３に記憶された画像データの全てがＣＤ−Ｒに書き込まれる（ステップＳ１０６）。
【００７５】
本実施の形態では、６個のオーダーＡ〜Ｆに係る画像データが取り込まれる場合について説明する。図６〜図９には、画像データ記憶部４３に記憶されている複数の画像データ毎に、ファイル番号、オーダー名、各オーダー毎の画像番号、作成日、更新日、プリント画像であるか否かに関する情報の一覧が示されている。オーダーＡ〜Ｆには、図６〜図９に示すように、４０個の画像データがそれぞれ含まれており、４０コマの画像を記録可能な６個のＡＰＳフィルムに対応している。ここで、画像データ記憶部４３では、スキャナ装置６から取り込まれた順序、すなわち、オーダーＡに係る画像番号１〜４０、オーダーＢに係る画像番号１〜４０、オーダーＣに係る画像番号１〜４０、・・・、オーダーＦに係る画像番号１〜４０の順序で画像データが記憶されている。なお、以下の説明では、例えばオーダーＡに係る画像番号ｎ（ｎは１以上４０以下の整数）の画像データを、「Ａｎの画像データ」と称して説明する。
【００７６】
なお、図６〜図９の更新日の欄では、更新日が作成日と同じ日である場合は作成日と同じ日であることを示す矢印が示されている。また、プリントの欄では、プリンタプロセッサ１におけるプリント処理が行われる画像データ（プリント画像設定部４６に設定されたプリント画像に対応する画像データ）には、プリント画像であることを示す記号Ｐが記載されている。
【００７７】
次に、モード抽出部４２により抽出されたモードがモード（１）であるか否かが判断される（ステップＳ１０７）。ここで、モード（１）であると判断されると（Ｓ１０７：ＹＥＳ）、さらに、ＣＤ−Ｒに書き込まれた画像データは５つ以上のオーダーに係るものであるか否かが判断される（ステップＳ１０８）。そして、５つ以上のオーダーに係るものである場合には（Ｓ１０８：ＹＥＳ）、第１画像データ選択部４７によって、各オーダーの最初の１つの画像データがそれぞれ選択される（ステップＳ１０９）。従って、モード（１）では、図６に示すように、オーダーＡ〜Ｆのそれぞれの最初の１つの画像データである６つの画像データＡ１、Ｂ１、Ｃ１、Ｄ１、Ｅ１、Ｆ１が選択される。
【００７８】
また、５つ以上のオーダーに係るものでない場合には（Ｓ１０８：ＮＯ）、第１画像データ選択部４７によって、各オーダーの最初の２つの画像データがそれぞれ選択される（ステップＳ１１０）。なお、本実施の形態では、５つ以上のオーダーに係るものでない場合については図示していないが、例えば６つのオーダーＡ〜Ｆに係る画像データのなかの３つのオーダーＡ〜Ｃに係る画像データだけがＣＤ−Ｒに書き込まれた場合には、オーダーＡ〜Ｃのそれぞれの最初の２つの画像データである６つの画像データＡ１、Ａ２、Ｂ１、Ｂ２、Ｃ１、Ｃ２が選択される。
【００７９】
一方、モード（１）でないと判断された場合には（Ｓ１０７：ＮＯ）、モード抽出部４２により抽出されたモードがモード（２）であるか否かが判断される（ステップＳ１１１）。ここで、モード（２）であると判断されると（Ｓ１１１：ＹＥＳ）、第１画像データ選択部４７によって、プリンタプロセッサ１においてプリント処理が行われた画像データが選択される（ステップＳ１１２）。従って、モード（２）では、図７に示すように、オーダーＥ、Ｆにおいて、プリント画像として設定された画像データである７７個の画像データＥ４〜Ｅ４０、Ｆ１〜Ｆ４が選択される。
【００８０】
また、モード（２）でないと判断された場合には（Ｓ１１１：ＮＯ）、モード抽出部４２により抽出されたモードがモード（３）であるか否かが判断される（ステップＳ１１３）。ここで、モード（３）であると判断されると（Ｓ１１３：ＹＥＳ）、第１画像データ選択部４７によって、作成日毎の最初の１つの画像データがそれぞれ選択される（ステップＳ１１４）。従って、モード（３）では、図８に示すように、作成日毎の最初の１つの画像データである５つの画像データＡ１、Ｂ１、Ｃ４、Ｅ１、Ｅ４が選択される。
【００８１】
また、モード（３）でないと判断された場合には（Ｓ１１３：ＮＯ）、モード抽出部４２により抽出されたモードはモード（４）であるので、第１画像データ選択部４７によって、画像データ編集部４３で編集された画像データが選択される（ステップＳ１１５）。従って、モード（４）では、図９に示すように、作成日と更新日とが異なる画像データである８つの画像データＣ１〜Ｃ３、Ｄ１〜Ｄ３、Ｄ３９、Ｄ４０が選択される。
【００８２】
その後、第１画像データ選択部４７により選択された画像データの数が、ＣＤ−Ｒのレーベル面に印刷可能なインデックス画像の数である４０個を超えるか否かが判断される（ステップＳ１１６）。そして、第１画像データ選択部４７によって選択された画像データが４０個を超える場合には（Ｓ１１６：ＹＥＳ）、第２画像データ選択部４８によって、４０個を超える画像データのなかから４０個の画像データが再度選択される（ステップＳ１１７）。この場合には、第２画像データ選択部４８によって選択された４０個の画像データに対応するインデックス画像だけが作成される（ステップＳ１１８）。また、第１画像データ選択部４７によって選択された画像データが４０個を超えない場合には（Ｓ１１６：ＮＯ）、その選択された画像データの全てに対応するインデックス画像が作成される（ステップＳ１１８）。
【００８３】
その後、第１画像データ選択部４７または第２画像データ選択部４８により選択された画像データに対応するインデックス画像が、ＣＤ−Ｒのレーベル面に印刷されて（ステップＳ１１９）、処理が終了する。
【００８４】
本実施の形態では、モード（１）、（３）、（４）では、第１画像データ選択部４７によって、それぞれ６つ、５つ、８つの画像データが選択されて、これらの画像データの数は４０個を超えないので、これらの画像データの全てに対応するインデックス画像がＣＤ−Ｒのレーベル面に印刷される。また、モード（２）では、第１画像データ選択部４７によって、７７個の画像データが選択されて、これらの画像データの数は４０個を超えるので、第２画像データ選択部４８によって、これらの画像データのなかのファイル番号の小さい方から４０個の画像データである画像データＥ４〜Ｅ４０、Ｆ１〜Ｆ３が選択される。そして、この４０個の画像データに対応するインデックス画像だけがＣＤ−Ｒのレーベル面に印刷される。
【００８５】
ここで、図１０には、モード（１）が設定されている場合に、６つの画像データＡ１、Ｂ１、Ｃ１、Ｄ１、Ｅ１、Ｆ１に対応する６つのインデックス画像がＣＤ−Ｒのレーベル面に印刷された様子が図示されている。なお、モード（２）〜（４）が設定されている場合のＣＤ−Ｒのレーベル面の図示は省略するが、モード（２）の場合には４０個のインデックス画像が印刷され、モード（３）の場合には５つのインデックス画像が印刷され、モード（４）の場合には８つのインデックス画像が印刷される。このように、各モード（１）〜（４）では、ＣＤ−Ｒのレーベル面に印刷されるインデックス画像の数が異なっているが、レーベル面においてはインデックス画像の数に応じたレイアウトで印刷される。
【００８６】
以上説明したように、本実施の形態の写真処理装置において、モード抽出部４２によってモード（１）が抽出されているときに、複数のオーダーに係る画像データがＣＤ−Ｒに記録された場合には、各オーダー毎に１または２つの画像データに対応するインデックス画像だけがＣＤ−Ｒのレーベル面に印刷される。従って、ＣＤ−Ｒに記録された画像データのオーダー数が分かると共に、ＣＤ−Ｒに記録された画像データの内容を容易に認識することができるようになる。また、このとき、５つ以上のオーダーに係る画像データがＣＤ−Ｒに記録される場合と４つ以下のオーダーに係る画像データがＣＤ−Ｒに記録される場合とで、ＣＤ−Ｒのレーベル面に印刷されるインデックス画像の数が変更される。従って、ＣＤ−Ｒのレーベル面のスペースを有効に利用することができる。
【００８７】
モード抽出部４２によってモード（２）が抽出されているときに、プリント処理が行われた画像データとプリント処理が行われなかった画像データとがＣＤ−Ｒに記録された場合には、プリント処理が行われた画像データに対応するインデックス画像だけがＣＤ−Ｒのレーベル面に印刷される。
【００８８】
モード抽出部４２によってモード（３）が抽出されているときに、複数の作成日に係る画像データがＣＤ−Ｒに記録された場合には、各作成日毎に最初の１つの画像データに対応するインデックス画像だけがＣＤ−Ｒのレーベル面に印刷される。
【００８９】
モード抽出部４２によってモード（４）が抽出されているときに、編集された画像データと編集されていない画像データとがＣＤ−Ｒに記録された場合に、編集されることによって作成日とは異なる日に更新された画像データに対応するインデックス画像だけがＣＤ−Ｒのレーベル面に印刷される。
【００９０】
また、第１画像データ選択部４７によって選択された画像データの数が４０個を超える場合には、第２画像データ選択部４８によって４０個の画像データを再度選択して、その４０個の画像データに対応するインデックス画像だけを、ＣＤ−Ｒのレーベル面に印刷することができる。
【００９１】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、モード記憶部４１には４つのモード（１）〜（４）における４つの選択基準が記憶されているが、これには限られない。従って、モード記憶部４１が、２または３つのモードにおける２または３つの選択基準を記憶していてもよいし、５つ以上のモードにおける５つ以上の選択基準を記憶していてもよい。また、モード記憶部４１には１つのモードにおける１つの選択基準だけが記憶されており、第１画像データ選択部４７が、その１つのモードにおける選択基準に基づいて、画像データを選択してもよい。
【００９２】
また、上述の実施の形態では、モード（１）〜（４）における４つの選択基準に基づいて画像データが選択されているが、選択基準としては、これらの４種類に限られない。
【００９３】
また、上述の実施の形態では、モード（１）では、各オーダー毎に１または２つの画像データが選択されているが、各オーダー毎に選択される画像データの数は変更することができる。また、５つ以上のオーダーに係る画像データがＣＤ−Ｒに記録される場合と４つ以下のオーダーに係る画像データがＣＤ−Ｒに記録される場合とで異なる選択基準に基づいて画像データが選択されているが、オーダー数に関係なく、同じ選択基準に基づいて画像データが選択されてもよい。また、オーダー数にしたがって選択基準が変更される場合でも、オーダー数の基準値（上述の実施の形態では、５つ）は変更することができる。また、モード（３）では、各作成日毎に１つの画像データが選択されているが、各作成日毎に選択される画像データの数は変更することができる。また、モード（１）、（３）において、１つの画像データが選択される場合に、最初の１つの画像データが選択されているが、その他の１つの画像データが選択されてもよい。
【００９４】
また、上述の実施の形態では、モード抽出部４２は、オペレータによってキーボード９またはマウス１０が操作されることによって入力される命令にしたがってモードを抽出しているが、これには限られない。従って、モード抽出部４２は、オペレータからの命令を受けることなく、自動的にモードを抽出する構成であってもよい。
【００９５】
また、上述の実施の形態では、インデックス画像がＣＤ−Ｒのレーベル面に印刷されているが、記録媒体としては、ＣＤ−Ｒに限定されるものではなく、ＤＶＤやフロッピー(登録商標）ディスク等の記録媒体であってもよい。また、上述の実施の形態では、プリンタプロセッサ（写真処理装置）においてインデックス画像が写真感光材料であるペーパーに形成されているが、画像形成媒体としては、インクジェットプリンタにおいてインデックス画像が形成される用紙等の画像形成媒体であってもよい。
【図面の簡単な説明】
【００９６】
【図１】本発明の実施の形態に係る写真処理装置の外観を示す斜視図である。
【図２】図１に示すＣＤ−Ｒ書き込み装置の構成を示す斜視図である。
【図３】図１に示すプリンタプロセッサの内部構成を模式的に示す図である。
【図４】図１に示す写真処理装置の主要な制御ブロックを示す図である。
【図５】図１に示す写真処理装置におけるプリント処理の手順を示すフローチャートである
【図６】モード（１）において選択される画像データを説明する図である。
【図７】モード（２）において選択される画像データを説明する図である。
【図８】モード（３）において選択される画像データを説明する図である。
【図９】モード（４）において選択される画像データを説明する図である。
【図１０】モード（１）において、６つのインデックス画像がＣＤ−Ｒのレーベル面に印刷された様子を示す図である。
【符号の説明】
【００９７】
１  プリンタプロセッサ
２  ＣＤ−Ｒ書き込み装置（画像記録装置）
２１  印刷部（インデックス画像形成手段）
２２  書き込み部（データ記録手段）
３２  露光エンジン（画像形成手段）
４０  制御装置
４１  モード記憶部（選択基準記憶手段）
４２  モード抽出部（抽出手段）
４３  画像データ記憶部（画像データ記憶手段）
４４  画像データ編集部（画像データ編集手段）
４５  画像情報記憶部
４５ａ  作成日記憶部（作成日記憶手段）
４５ｂ  更新日記憶部（更新日記憶手段）
４６  プリント画像設定部
４７  第１画像データ選択部（第１の画像データ選択手段）
４８  第２画像データ選択部（第２の画像データ選択手段）
【図１】
2005324507.tif 000003
【図２】
2005324507.tif 000004
【図３】
2005324507.tif 000005
【図４】
2005324507.tif 000006
【図５】
2005324507.tif 000007
【図６】
2005324507.tif 000008
【図７】
2005324507.tif 000009
【図８】
2005324507.tif 000010
【図９】
2005324507.tif 000011
【図１０】
2005324507.tif 000012